(57)【要約】【課題】送信側通信装置と無線を介して接続された複数の受信側通信装置を有する無線通信システムにおいて、送信側通信装置から正常に受信できなかったパケット情報を他の受信側通信装置から受信できるようにする。【解決手段】送信側通信装置から無線を介してパケット信号を受信する複数の受信側通信装置２４を有し、各受信側通信装置２４は、それぞれ誤り検出手段２４ｃ１，問い合わせ信号送信手段２４ｃ２，パケット情報送信要求手段２４ｃ３，アンテナ２５を有し、前記受信したパケット情報に含まれる誤り検出コードに基づき伝送データ誤りを検出し、そのパケット情報を受信しているか他の受信側通信装置に問い合わせる。受信側通信装置２４は、前記問い合わせに応じたパケット情報を有する他の受信側通信装置からの返答に基づき該他の受信側通信装置に前記パケット情報の送信を要求し、送信要求に応じたパケット情報を前記他の受信側通信装置から受信する。【選択図】　　　　図４
2004140663.tif 000002
【特許請求の範囲】
【請求項１】
パケット化した伝送データの誤りを検出するための誤り検出コードを含むパケット情報を送信する送信側通信装置と無線を介して接続された複数の受信側通信装置を有する無線通信システムにおいて、前記各受信側通信装置は、前記送信側通信装置から送信されたパケット情報を受信するパケット情報受信手段と、該受信したパケット情報に含まれる誤り検出コードに基づいて伝送データ誤りを検出する誤り検出手段と、該伝送データ誤りが検出されたパケット情報を認識し、該認識したパケット情報を受信しているかどうか他の受信側通信装置に問い合わせるための問い合わせ信号を送信する問い合わせ信号送信手段と、該問い合わせ信号に応じたパケット情報を有する他の受信側通信装置からの返答に基づいて該他の受信側通信装置に前記パケット情報を送信するように要求するパケット情報送信要求手段とを有し、該送信要求に応じたパケット情報を前記他の受信側通信装置から受信できるようにしたことを特徴とする無線通信システム。
【請求項２】
パケット化した伝送データの順序を保証するための順序情報を含むパケット情報を送信する送信側通信装置と無線を介して接続された複数の受信側通信装置を有する無線通信システムにおいて、前記各受信側通信装置は、前記送信側通信装置から送信されたパケット情報を受信するパケット情報受信手段と、該受信したパケット情報に含まれる順序情報によりパケット情報の復元順序を認識する復元順序認識手段と、該認識した復元順序に基づいてパケット情報の欠落があるかどうか判断し、パケット情報の欠落があると判断した場合、該欠落したパケット情報を受信しているかどうか他の受信側通信装置に問い合わせるための問い合わせ信号を送信する問い合わせ信号送信手段と、該問い合わせ信号に応じたパケット情報を有する他の受信側通信装置からの返答に基づいて該他の受信側通信装置に前記パケット情報を送信するように要求するパケット情報送信要求手段とを有し、該送信要求に応じたパケット情報を前記他の受信側通信装置から受信できるようにしたことを特徴とする無線通信システム。
【請求項３】
請求項２に記載の無線通信システムにおいて、前記送信側通信装置は、パケット化した伝送データの順序が最後となるパケット情報に、順序が最後であることを識別するための識別情報を付加し、該識別情報を付加したパケット情報を前記各受信側通信装置に送信することを特徴とする無線通信システム。
【請求項４】
請求項２または３に記載の無線通信システムにおいて、前記各受信側通信装置は、前記パケット情報受信手段によりパケット情報を受信した後に、予め定めた時間内に新規のパケット情報を受信しなかった場合、前記送信側通信装置からのパケット情報の送信処理が終了したと判断し、前記受信したパケット情報の中に前記識別情報が付加されたパケット情報が含まれている場合、前記復元順序認識手段により認識した復元順序に基づいて前記受信したパケット情報の中にパケット情報の欠落があるかどうか判断し、パケット情報の欠落があると判断した場合、該欠落したパケット情報を受信しているかどうか他の受信側通信装置に問い合わせることを特徴とする無線通信システム。
【請求項５】
請求項２または３に記載の無線通信システムにおいて、前記各受信側通信装置は、前記パケット情報受信手段によりパケット情報を受信した後に、予め定めた時間内に新規のパケット情報を受信しなかった場合、前記送信側通信装置からのパケット情報の送信処理が終了したと判断し、前記受信したパケット情報の中に前記識別情報が付加されたパケット情報が含まれていない場合、該識別情報が付加されたパケット情報が欠落していると判断し、該欠落したパケット情報を受信しているかどうか他の受信側通信装置に問い合わせることを特徴とする無線通信システム。
【請求項６】
請求項２または３に記載の無線通信システムにおいて、前記各受信側通信装置は、前記パケット情報受信手段により受信したパケット情報の中に前記識別情報が付加されたパケット情報が含まれている場合、前記送信側通信装置からのパケット情報の送信処理が終了したと判断し、前記復元順序認識手段により認識した復元順序に基づいて前記受信したパケット情報の中にパケット情報の欠落があるかどうか判断し、パケット情報の欠落があると判断した場合、該欠落したパケット情報を受信しているかどうか他の受信側通信装置に問い合わせることを特徴とする無線通信システム。
【請求項７】
請求項１ないし６のいずれか１に記載の無線通信システムにおいて、前記パケット情報送信要求手段は、前記他の受信側通信装置への送信要求に応じたパケット情報を、予め定めた時間内に受信できなかった場合、前記送信要求に応じたパケット情報を再送するように前記送信側通信装置に要求することを特徴とする無線通信システム。
【請求項８】
請求項１ないし７のいずれか１に記載の無線通信システムにおいて、前記各受信側通信装置は、前記問い合わせ信号送信手段により送信した問い合わせ信号に応じたパケット情報を有する複数の他の受信側通信装置から返答を受信した場合、予め定めた優先順位に基づいて前記複数の他の受信側通信装置の中から前記パケット情報を送信するように要求する受信側通信装置を選択することを特徴とする無線通信システム。
【請求項９】
請求項８に記載の無線通信システムにおいて、前記各受信側通信装置は、前記問い合わせ信号送信手段により送信した問い合わせ信号に対する返答を受信した時刻を記憶し、該記憶した時刻の早い順に優先順位を設定することを特徴とする無線通信システム。
【請求項１０】
パケット化した伝送データの誤りを検出するための誤り検出コードを含むパケット情報を送信する送信側通信装置と無線を介して接続された無線通信装置において、前記送信側通信装置から送信されたパケット情報を受信するパケット情報受信手段と、該受信したパケット情報に含まれる誤り検出コードに基づいて伝送データ誤りを検出する誤り検出手段と、該伝送データ誤りが検出されたパケット情報を認識し、該認識したパケット情報を受信しているかどうか他の無線通信装置に問い合わせるための問い合わせ信号を送信する問い合わせ信号送信手段と、該問い合わせ信号に応じたパケット情報を有する他の無線通信装置からの返答に基づいて該他の無線通信装置に前記パケット情報を送信するように要求するパケット情報送信要求手段とを有し、該送信要求に応じたパケット情報を前記他の無線通信装置から受信できるようにしたことを特徴とする無線通信装置。
【請求項１１】
パケット化した伝送データの順序を保証するための順序情報を含むパケット情報を送信する送信側通信装置と無線を介して接続された無線通信装置において、前記送信側通信装置から送信されたパケット情報を受信するパケット情報受信手段と、該受信したパケット情報に含まれる順序情報によりパケット情報の復元順序を認識する復元順序認識手段と、該認識した復元順序に基づいてパケット情報の欠落があるかどうか判断し、パケット情報の欠落があると判断した場合、該欠落したパケット情報を受信しているかどうか他の無線通信装置に問い合わせるための問い合わせ信号を送信する問い合わせ信号送信手段と、該問い合わせ信号に応じたパケット情報を有する他の無線通信装置からの返答に基づいて該他の無線通信装置に前記パケット情報を送信するように要求するパケット情報送信要求手段とを有し、該送信要求に応じたパケット情報を前記他の無線通信装置から受信できるようにしたことを特徴とする無線通信装置。
【請求項１２】
パケット化した伝送データの誤りを検出するための誤り検出コードを含むパケット情報を送信する送信側通信装置と無線を介して接続された複数の受信側通信装置によりパケット情報を送受信するための無線通信方法において、前記送信側通信装置から送信されたパケット情報を受信するパケット情報受信ステップと、該受信したパケット情報に含まれる誤り検出コードに基づいて伝送データ誤りを検出する誤り検出ステップと、該伝送データ誤りが検出されたパケット情報を認識し、該認識したパケット情報を受信しているかどうか他の受信側通信装置に問い合わせるための問い合わせ信号を送信する問い合わせ信号送信ステップと、該問い合わせ信号に応じたパケット情報を有する他の受信側通信装置からの返答に基づいて該他の受信側通信装置に前記パケット情報を送信するように要求するパケット情報送信要求ステップとを有し、該送信要求に応じたパケット情報を前記他の受信側通信装置から受信できるようにしたことを特徴とする無線通信方法。
【請求項１３】
パケット化した伝送データの順序を保証するための順序情報を含むパケット情報を送信する送信側通信装置と無線を介して接続された複数の受信側通信装置によりパケット情報を送受信するための無線通信方法において、前記送信側通信装置から送信されたパケット情報を受信するパケット情報受信ステップと、該受信したパケット情報に含まれる順序情報によりパケット情報の復元順序を認識する復元順序認識ステップと、該認識した復元順序に基づいてパケット情報の欠落があるかどうか判断し、パケット情報の欠落があると判断した場合、該欠落したパケット情報を受信しているかどうか他の受信側通信装置に問い合わせるための問い合わせ信号を送信する問い合わせ信号送信ステップと、該問い合わせ信号に応じたパケット情報を有する他の受信側通信装置からの返答に基づいて該他の受信側通信装置に前記パケット情報を送信するように要求するパケット情報送信要求ステップとを有し、該送信要求に応じたパケット情報を前記他の受信側通信装置から受信できるようにしたことを特徴とする無線通信方法。
【発明の詳細な説明】
【０００１】
【発明の属する技術分野】
本発明は、無線通信システム、装置及び方法、より詳細には、基地局の送信側通信装置から複数の受信側通信装置への情報無線通信に関する技術である。
【０００２】
【従来の技術】
従来、１（送信側通信装置）対Ｎ（複数の受信側通信装置）の通信を行う場合においては複数の受信側通信装置が送信側通信装置からの電波を受信する。例えば、複数の受信側通信装置が存在し、そして、送信側通信装置が複数のパケット情報を送信した場合について想定する。この場合の通信は無線を介して行うために、通信状況が悪いなどの要因により、全ての受信側通信装置に対して全ての情報を伝達できない場合がある。こうした状況において効率よく情報の再送を行うことにより無線の有効利用を実現し、しかも送信した情報を正確に伝送できるようにしたいという要求が高まっている。このような場合、一般的に、パケット情報の一部ないし全部を受信できなかった受信側通信装置が、送信側通信装置から受信できなかったパケット情報を再送してもらうように送信側通信装置に要求する処理がなされる。
【０００３】
ここで、従来の無線を介したデジタル通信方式としては、基地局と複数の移動局との間でＴＤＤ（時分割二重）によりデータの双方向無線通信を行うデジタル通信システムにおいて、基地局と各移動局とのそれぞれに、ユーザデータを分割した複数のセルデータにそれぞれ伝送エラー検出コードＣＲＣを付加するとともに、当該複数のセルデータをＴＤＭＳフレームのユーザチャネル内に載せて無線送信する送信手段と、送信側局からユーザデータを受信してセルデータ毎の伝送エラーを検出する受信手段と、受信したセルデータ毎の伝送エラーの発生に関する通知をＴＤＭＡフレームのコントロールチャネル内に載せて無線送信させるエラー通知手段と、受信側の局からのエラー通知に基づいて該当するセルデータをＴＤＭＡフレームのユーザチャネル内に載せて再度無線送信する再送手段とを備え、情報端末装置を携帯電話機を用いてＢ−ＩＳＤＮに無線接続させる通信システムにおいてデータ伝送を迅速化し、且つ、データ伝送の信頼性を高めようとしたものが開示されている。（例えば、特許文献１参照）
【０００４】
また、中継送信に関する従来技術としては、各トランシ−バ部が電波を受信すると、中継手段（中継送信判定部、無線モジュール部、空中線等から構成される）が受信した受信デ−タの識別結果に基づいて受信デ−タと同一のデ−タを中継送信し、そして、順次対象とするトランシ−バ部に受信したデ−タを中継送信し、これにより、近接から送信された電波を受信して受信先を識別しながら、さらに他の近接する携帯無線装置に中継送信することによって、低出力でも対象とする送信先にデ−タを識別送信することができ、このように、受信デ−タの識別結果に基づいて受信デ−タと同一のデ−タを中継送信することにより、遠方にデ−タを確実に伝送できるようにしたものが開示されている。（例えば、特許文献２参照）
【０００５】
【特許文献１】
特開平１０−９８４７９号公報
【特許文献２】
特開平３−２３８９３２号公報
【０００６】
【発明が解決しようとする課題】
しかしながら、上記特開平１０−９８４７９号公報（特許文献１）に記載されているような基地局から再送信を行う方法では、通信状況の悪い受信機にとっては、再び受信できるとは限らず、受信できなかった場合は再送要求を繰り返すことになり、受信できなかった受信機への情報の遅延、送信機側の処理の負担がかかり消費電力も増えてしまうという課題がある。また、上記特開平３−２３８９３２号公報（特許文献２）記載の発明は、受信データと同一のデータを中継送信できるようにしたものであるが、このような中継方法では、中継受信機側にも送信機と同レベルの送信装置を持たなくてはならず、不経済である。
【０００７】
本発明は、上述のごとき実情に鑑みてなされたものであり、送信側通信装置と無線を介して接続された複数の受信側通信装置を有する無線通信システムにおいて、送信側通信装置から正常に受信できなかったパケット情報を認識し、認識したパケット情報を送信するように他の受信側通信装置に要求することにより、該他の受信側通信装置から当該パケット情報を受信できるようにした無線通信システム、装置及び方法を提供すること、を目的としてなされたものである。
【０００８】
【課題を解決するための手段】
上記目的を達成するための第１の技術手段は、パケット化した伝送データの誤りを検出するための誤り検出コードを含むパケット情報を送信する送信側通信装置と無線を介して接続された複数の受信側通信装置を有する無線通信システムにおいて、前記各受信側通信装置は、前記送信側通信装置から送信されたパケット情報を受信するパケット情報受信手段と、該受信したパケット情報に含まれる誤り検出コードに基づいて伝送データ誤りを検出する誤り検出手段と、該伝送データ誤りが検出されたパケット情報を認識し、該認識したパケット情報を受信しているかどうか他の受信側通信装置に問い合わせるための問い合わせ信号を送信する問い合わせ信号送信手段と、該問い合わせ信号に応じたパケット情報を有する他の受信側通信装置からの返答に基づいて該他の受信側通信装置に前記パケット情報を送信するように要求するパケット情報送信要求手段とを有し、該送信要求に応じたパケット情報を前記他の受信側通信装置から受信できるようにしたことを特徴としたものである。
【０００９】
上記第１の技術手段によると、送信側通信装置から受信したパケット情報の伝送データ誤りを検出し、その伝送データ誤りを検出したパケット情報、すなわち正常に受信できなかったパケット情報を認識し、その認識したパケット情報を他の受信側通信装置から受信することにより、送信側に再送要求をする必要がなくなるため、送信側における伝送処理の負荷を軽減することができるとともに、確実かつ迅速にパケット情報を受信することができる。
【００１０】
上記目的を達成するための第２の技術手段は、パケット化した伝送データの順序を保証するための順序情報を含むパケット情報を送信する送信側通信装置と無線を介して接続された複数の受信側通信装置を有する無線通信システムにおいて、前記各受信側通信装置は、前記送信側通信装置から送信されたパケット情報を受信するパケット情報受信手段と、該受信したパケット情報に含まれる順序情報によりパケット情報の復元順序を認識する復元順序認識手段と、該認識した復元順序に基づいてパケット情報の欠落があるかどうか判断し、パケット情報の欠落があると判断した場合、該欠落したパケット情報を受信しているかどうか他の受信側通信装置に問い合わせるための問い合わせ信号を送信する問い合わせ信号送信手段と、該問い合わせ信号に応じたパケット情報を有する他の受信側通信装置からの返答に基づいて該他の受信側通信装置に前記パケット情報を送信するように要求するパケット情報送信要求手段とを有し、該送信要求に応じたパケット情報を前記他の受信側通信装置から受信できるようにしたことを特徴としたものである。
【００１１】
上記第２の技術手段によると、送信側通信装置から受信したパケット情報に含まれる順序情報に基づいて復元順序を認識することにより、欠落したパケット情報、すなわち受信できなかったパケット情報を特定し、その特定したパケット情報を他の受信側通信装置から受信することにより、送信側に再送要求をする必要がなくなるため、送信側における伝送処理の負荷を軽減することができるとともに、確実かつ迅速にパケット情報を受信することができる。
【００１２】
【発明の実施の形態】
本発明は、例えば、送信機と受信機との間の通信のように無線を介した無線通信システムに好適に用いることができるが、特にＳＳ（Ｓｐｒｅａｄ　Ｓｐｅｃｔｒｕｍ）無線に好適に適用できるものである。尚、有線回線により接続して双方向通信を行う通信システムにも適用することができるのは言うまでもない。
【００１３】
図１は、本発明の一実施形態に係る無線通信システムの構成例を説明するための図で、本実施形態においては、例えばＳＳ無線方式を採用したＤＶＤ再生装置と液晶モニタ間における画像伝送システムを代表例として説明するが、本発明の無線通信システムは、本実施形態に限られるものではなく、無線又は有線による通信方式全般に適用することができる。
【００１４】
図１において、１０は送信側ユニットで、該送信側ユニット１０は、ＤＶＤ再生装置１１，送信側通信装置１４からなり，ＤＶＤ再生装置１１は、リモコン受光部１３を有し、送信側通信装置１４は、アンテナ１５，リモコン信号送信機１６を有し、ＤＶＤ再生装置１１と送信側通信装置１４とはＡＶケーブル１２を介して接続されている。リモコン信号送信機１６はＤＶＤ再生装置１１のリモコン受光部１３に対してリモコンコードを送信する機器である。この送信側通信装置１４のリモコン信号送信機１６はＤＶＤ再生装置１１のリモコン受光部１３の受光範囲内に配置されている。尚、送信側通信装置１４に接続可能な機器は、本実施形態におけるＤＶＤ再生機器に限らず、例えば、デジタル放送を受信するためのＳＴＢ（Ｓｅｔ　Ｔｏｐ　Ｂｏｘ）や、画像再生機能を備えたパーソナルコンピュータなどであってもよい。
【００１５】
また、２０は受信側ユニットで、該受信側ユニット２０は、モニタ２１，リモコン２３，受信側通信装置２４からなり、受信側通信装置２４は、アンテナ２５，リモコン受光部２６を有し、モニタ２１と受信側通信装置２４とはＡＶケーブル２２を介して接続されている。３０は受信側ユニットで、該受信側ユニット３０は、モニタ３１，リモコン３３，受信側通信装置３４からなり、受信側通信装置３４は、アンテナ３５，リモコン受光部３６を有し、モニタ３１と受信側通信装置３４とはＡＶケーブル３２を介して接続されている。同様に、４０は受信側ユニットで、該受信側ユニット４０は、モニタ４１，リモコン４３，受信側通信装置４４からなり、受信側通信装置４４は、アンテナ４５，リモコン受光部４６を有し、モニタ４１と受信側通信装置４４とはＡＶケーブル４２を介して接続されている。このように、本実施形態における受信側ユニット２０，受信側ユニット３０，及び受信側ユニット４０は同じ構成を有しているものとし、設置可能な受信側ユニットの台数に制限はないものとする。
【００１６】
以下、受信ユニット２０を代表例として受信ユニットの構成について説明する。
受信ユニット２０において、リモコン２３はＤＶＤ再生装置１１の記録再生などを遠隔制御可能な入力装置で、記録再生を制御する際はリモコン２３を受信側通信装置２４のリモコン受光部２６へ向けて操作する。リモコン２３からの制御信号を受け取った受信側通信装置２４は無線を介して送信側ユニット１０に伝送され、送信側通信装置１４は、リモコン信号送信機１６を通じてＤＶＤ再生装置１１を制御することができる。この際、ＤＶＤ再生装置１１からの再生ＡＶデータは、送信側通信装置１４においてパケット化され、パケット情報として複数に分割した状態で送信される。ここで、パケットとは、映像信号／音声信号／付加情報等をひとまとめにした後に分割したものであって、無線伝送の単位である。
【００１７】
図２は、本発明に係るパケット情報の構成例を説明するための図である。本例におけるパケット情報は、動画像などの圧縮符号化技術の一つであるＭＰＥＧに採用されているプログラムストリーム方式におけるパケット構成を代表例として示したものである。このプログラムストリーム方式においては、パックの集まりとして構成され、個々のパックを構成するパケットは、本例の場合に、ＰＥＳ（Ｐａｃｋｅｔｉｚｅｄ　Ｅｌｅｍｅｎｔａｒｙ　Ｓｔｒｅａｍ）パケットといい、映像や音声などの個別のストリームを分割したもの（エレメンタリ・ストリーム）にＰＥＳパケットヘッダが付加される。
【００１８】
上記ＰＥＳパケットヘッダには個別のストリームを識別するコード（ストリームＩＤ）や、パケットの並び順、パケットサイズ、同期再生のための時間情報、その他の制御情報など（例えば、スクランブルの有無や、ＣＲＣコードの付加など）が記述される。パックの先頭にはパックヘッダが付加され、パック長を調整するための情報などを記述することができる。また、映像や音声にはそれぞれアクセスユニットと呼ばれる復号・再生の単位があり、その単位毎に基準時間のどこで復号し、いつ再生すればよいかを示すタイムスタンプがＰＥＳパケットヘッダに記述される。このタイムスタンプにより映像と音声の同期再生を可能とする。
【００１９】
図３は、本発明に係る送信側通信装置１４の内部構成例を説明するためのブロック図で、送信側通信装置１４は、入力画像音声処理部１４ａ，画像音声メモリ１４ｂ，通信コントロール部１４ｃ，ＣＰＵ１４ｄ，リモコンコード発信部１４ｅ，ＡＶ入力部１４ｆ，アンテナ１５を有している。
【００２０】
図４は、本発明に係る受信側通信装置２４の内部構成例を説明するためのブロック図で、受信側通信装置２４は、出力画像音声処理部２４ａ，画像音声メモリ２４ｂ，通信コントロール部２４ｃ，ＣＰＵ２４ｄ，リモコン受信部２４ｅ，ＡＶ出力部２４ｆ，アンテナ２５を有している。通信コントロール部２４ｃは、誤り検出手段２４ｃ１，問い合わせ信号送信手段２４ｃ２，パケット情報送信要求手段２４ｃ３を有している。また、同様に、受信側通信装置３４，４４もこれらの手段を有しているものとする。
【００２１】
図１、図３、及び図４に基づいて、ＳＳ無線等を利用した本発明の画像／音声情報の基本的な無線通信システムに関して説明するものとするが、図１において、送信側ユニット１０は液晶テレビやオーディオ機器などのＡＶ機器と共に、例えば１階の部屋に設置された状態とし、受信側ユニット２０は２階のＡ部屋に設置され、受信側ユニット３０は２階のＢ部屋に設置され、受信側ユニット４０は２階のＣ部屋にそれぞれ設置されている状態とする。
【００２２】
まず、受信側ユニット２０においてリモコン２３を受信側通信装置２４のリモコン受光部２６に向け、リモコン２３の再生ボタンを押して、リモコン受光部２６に制御信号を送信する。この制御信号の伝送媒体には赤外線などを好適に用いることができる。リモコン受光部２６から入力された制御信号はリモコン受信部２４ｅにて制御データとして復調され、制御データはＣＰＵ２４ｄに転送される。ＣＰＵ２４ｄが受け取った制御データは、通信コントロール部２４ｃに受け渡されて変調され、アンテナ２５から送信側通信装置１４に送信される。
【００２３】
受信側通信装置２４から送信された制御信号は送信側通信装置１４のアンテナ１５で受信され、受信された制御信号は通信コントロール部１４ｃにより制御データとして復調され、制御データはＣＰＵ１４ｄに転送される。ＣＰＵ１４ｄが受け取った制御データをリモコンコード発信部１４ｅより出力し、リモコン信号送信機１６からＤＶＤ再生装置１１へ向け送信される。ＤＶＤ再生装置１１はリモコン受光部１３にて受信した制御信号（再生指示信号）に基づき、再生動作を開始する。
【００２４】
ＤＶＤ再生装置１１から出力される再生ＡＶデータ（以下、ＡＶデータという）はＡＶケーブル１２を経由し送信側通信装置１４のＡＶ入力部１４ｆに入力される。ＡＶ入力部１４ｆより入力されたＡＶデータは、入力画像音声処理部１４ａにより圧縮、Ａ／Ｄ変換処理などが施される。この際に画像音声メモリ１４ｂにＡＶデータを格納する。信号処理後のＡＶデータは通信コントロール部１４ｃに送られ、エラー訂正用データ，誤り検出データなどを付加した後、パケットごとに分割してから変調し、アンテナ１５より送信される。ここで、無線を介して伝送されるのはパケット情報であり、受信側通信装置２４，３４，４４それぞれにおいてそれらを結合、分類して、映像／音声／付加情報などを取り出す。
【００２５】
受信側通信装置２４のアンテナ２５から受け取ったＡＶデータは通信コントロール部２４ｃにより復調され、エラー訂正を行い、また、誤り検出手段２４ｃ１は、ＣＲＣコード等の誤り検出データを用いてパケット情報における伝送誤りを検出し、伝送誤りを検出したパケット情報、すなわち正常に受信できなかったパケット情報を認識することができる。ＡＶデータは出力画像音声処理部２４ａに送られ、その出力画像音声処理部２４ａにより伸長処理、Ｄ／Ａ変換処理などが施される。この際、画像音声メモリ２４ｂにＡＶデータを格納する。
【００２６】
出力画像音声処理部２４ａにより復元されたＡＶデータをＡＶ出力部２４ｆから出力し、ＡＶケーブル２２を経由してモニタ２１より出力することで、ユーザは２階（Ａ部屋又はＢ部屋又はＣ部屋）に居ながらにして、１階に設置してあるＤＶＤ再生装置１１からの再生映像や音声を視聴することができる。
【００２７】
上述したような無線通信システムにおいて、１つの送信側ユニットに対して、受信側ユニットが多数存在すれば、複数の受信側ユニットで視聴することが可能となる。すなわち、１台の送信側通信装置にＤＶＤ再生装置などの再生機器を接続することにより、複数のモニタを用いて同時に視聴できるシステムを実現することができる。
【００２８】
ここで、送信側通信装置１４に入力されたＡＶデータを、通信コントロール部１４ｃでパケット化したデータを、例えばパケット情報ａ，ｂ，ｃとする。このパケット情報ａ，ｂ，ｃを送信側通信装置１４から送信する場合について説明する。これらのパケット情報を受信した受信側通信装置２４は、通信コントロール部２４ｃで映像信号／音声信号／付加情報にそれぞれ分解して再生する。この際、無線による伝送を行うので通信状況により全てのパケット情報を正常に受信できないケースが起こりえる。
【００２９】
上記のケースとして、例えば、受信側通信装置２４，３４，４４に対し、送信側通信装置１４からパケット情報ａ，ｂ，ｃを送信した場合に、受信側通信装置３４，４４はパケット情報ａ，ｂ，ｃ全てを受信したが、受信側通信装置２４はパケット情報ａ，ｃのみ受信し、パケット情報ｂを正常に受信できない場合が有り得る。このような場合、受信側通信装置２４は正常にＡＶデータを再生することができない。そこで、本発明は、ある受信側通信装置において正常に受信できなかったパケット情報を他の受信側通信装置から補完して正常に再生できるようにする。
【００３０】
図４において、誤り検出手段２４ｃ１は、送信側通信装置１４から受信したパケット情報に含まれる誤り検出コードに基づいて伝送データ誤りを検出する。問い合わせ信号送信手段２４ｃ２は、誤り検出手段２４ｃ１により伝送データ誤りが検出されたパケット情報を認識し、認識したパケット情報を受信しているかどうか他の受信側通信装置（本例では、受信側通信装置３４，４４）に問い合わせるための問い合わせ信号を送信する。パケット情報送信要求手段２４ｃ３は、問い合わせ信号送信手段２４ｃ２により送信された問い合わせ信号に応じたパケット情報を有する他の受信側通信装置３４，４４からの返答に基づいて、他の受信側通信装置３４又は４４に当該パケット情報を送信するように要求する。受信側通信装置２４は、パケット情報送信要求手段２４ｃ３による送信要求に応じたパケット情報を他の受信側通信装置３４又は４４から受信することができる。
【００３１】
本発明によると、送信側通信装置から受信したパケット情報の伝送データ誤りを検出し、その伝送データ誤りを検出したパケット情報、すなわち正常に受信できなかったパケット情報を認識し、その認識したパケット情報を他の受信側通信装置から受信することにより、送信側に再送要求をする必要がなくなるため、送信側における伝送処理の負荷を軽減することができるとともに、確実かつ迅速にパケット情報を受信することができる。また、送信側は受信側への再送負荷が軽減されるために、伝送可能なデータ容量を有効に利用することができるため、従来システムより多くの情報を伝送することが可能となる。
【００３２】
図５は、本発明に係る他の受信側通信装置の内部構成例を説明するためのブロック図で、受信側通信装置２７は、出力画像音声処理部２７ａ，画像音声メモリ２７ｂ，通信コントロール部２７ｃ，ＣＰＵ２７ｄ，リモコン受信部２７ｅ，ＡＶ出力部２７ｆ，アンテナ２８を有している。本実施形態の受信側通信装置２７が有する通信コントロール部２７ｃは、復元順序認識手段２７ｃ１，問い合わせ信号送信手段２７ｃ２，パケット情報送信要求手段２７ｃ３を有し、その他の構成は、図４に示した受信側通信装置２４と同様とする。
【００３３】
ここで、図４に示した受信側通信装置２４は、送信側通信装置１４から受信したパケット情報に含まれる誤り検出コードに基づいて伝送データ誤りを検出し、伝送データ誤りが検出されたパケット情報を認識し、認識したパケット情報を受信しているかどうか他の受信側通信装置に問い合わせるための問い合わせ信号を送信できるようにしたものであり、送信側通信装置１４からパケット情報を正常、異常に係わらず受信することが前提となる。このため、伝送中に欠落したパケット情報などは、受信側通信装置２４に受信されないために誤り検出コードを検出することができない。そこで、図５に示す受信側通信装置２７は、送信側通信装置１４から受信できなかったパケット情報（欠落したパケット情報）を認識できるようにしたものである。
【００３４】
復元順序認識手段２７ｃ１は、送信側通信装置１４から受信したパケット情報に含まれる順序情報によりパケット情報の復元順序を認識する。問い合わせ信号送信手段２７ｃ２は、復元順序認識手段２７ｃ１により認識した復元順序に基づいてパケット情報の欠落があるかどうか判断し、パケット情報の欠落があると判断した場合、欠落したパケット情報を受信しているかどうか他の受信側通信装置（本例では、受信側通信装置３４，４４）に問い合わせるための問い合わせ信号を送信する。パケット情報送信要求手段２７ｃ３は、問い合わせ信号送信手段２７ｃ２により送信された問い合わせ信号に応じたパケット情報を有する他の受信側通信装置３４，４４からの返答に基づいて、他の受信側通信装置３４又は４４に当該パケット情報を送信するように要求する。受信側通信装置２４は、パケット情報送信要求手段２７ｃ３による送信要求に応じたパケット情報を他の受信側通信装置３４又は４４から受信することができる。
【００３５】
本発明によると、送信側通信装置から受信したパケット情報に含まれる順序情報に基づいて復元順序を認識することにより、欠落したパケット情報、すなわち受信できなかったパケット情報を特定し、その特定したパケット情報を他の受信側通信装置から受信することにより、送信側に再送要求をする必要がなくなるため、送信側における伝送処理の負荷を軽減することができるとともに、確実かつ迅速にパケット情報を受信することができる。
【００３６】
また、各受信側通信装置は、パケット情報送信要求手段２４ｃ３又は２７ｃ３により他の受信側通信装置にパケット情報の送信要求を行う際に、パケット化する前の元のＡＶデータを構成するパケット情報の全てを送信するように他の受信側通信装置に要求し、送信要求した全てのパケット情報を他の受信側通信装置から受信する形態をとることもできる。これによると、正常に受信できなかったパケット情報や、欠落したパケット情報のみでなく、全てのパケット情報を取得することができるため、パケット情報をもれなく取得できる上に、例えば、送信側通信装置からの伝送距離を越えるような場所であっても、他の受信側通信装置を中継させることで、元データの再生を可能とする。これにより使用範囲が広がり、用途の広がりが期待できる。
【００３７】
ここで、送信側通信装置１４は、パケット化したＡＶデータの順序が最後となるパケット情報に、順序が最後であることを識別するための識別情報を付加し、識別情報を付加したパケット情報を各受信側通信装置に送信する。この識別情報としては、例えば、最後であることを示すフラグなどを付加する。受信側通信装置２４は、送信側通信装置１４からパケット情報を受信した後に、予め定めた時間内に新規のパケット情報を受信しなかった場合、送信側通信装置１４からのパケット情報の送信処理が終了したと判断し、受信したパケット情報の中に、前記識別情報が付加されたパケット情報が含まれている場合、復元順序認識手段２７ｃ１により認識した復元順序に基づいて、受信したパケット情報の中にパケット情報の欠落があるかどうか判断し、パケット情報の欠落があると判断した場合、その欠落したパケット情報を受信しているかどうか他の受信側通信装置に問い合わせる。
【００３８】
一方、受信側通信装置２４は、送信側通信装置１４からパケット情報を受信した後に、予め定めた時間内に新規のパケット情報を受信しなかった場合、送信側通信装置１４からのパケット情報の送信処理が終了したと判断し、受信したパケット情報の中に、前記識別情報が付加されたパケット情報が含まれていない場合、識別情報が付加されたパケット情報、すなわち最後のパケット情報が欠落していると判断し、その欠落した最後のパケット情報を受信しているかどうか他の受信側通信装置に問い合わせる。
【００３９】
また、別の実施形態として、受信側通信装置２４は、送信側通信装置１４から受信したパケット情報の中に、前記識別情報が付加されたパケット情報が含まれている場合、送信側通信装置１４からのパケット情報の送信処理が終了したと判断し、復元順序認識手段２７ｃ１により認識した復元順序に基づいて、受信したパケット情報の中にパケット情報の欠落があるかどうか判断し、パケット情報の欠落があると判断した場合、その欠落したパケット情報を受信しているかどうか他の受信側通信装置に問い合わせるようにしてもよい。この場合、受信側通信装置２４が、識別情報を付加したパケット情報を一連の送信処理の最後に受信できるように送信順序又は受信順序を制御し、その識別情報を付加したパケット情報を受信した時点で送信処理の終了と判断するようにする。
【００４０】
本発明によると、各受信側通信装置が伝送データにおける最後のパケット情報を認識することができるため、復元順序及び識別情報に基づいて欠落したパケット情報をもれなく特定することができる。
【００４１】
ここで、各受信側通信装置は、パケット情報送信要求手段２４ｃ３又は２７ｃ３により送信した送信要求に応じたパケット情報を他の受信側通信装置から受信し、受信したパケット情報と、送信側通信装置１４から受信したパケット情報とを用いてパケット化する前の元データを復元することにより、ユーザは、ＤＶＤ再生装置１１において再生したＡＶデータを視聴することができる。
【００４２】
図６は、図１に示した無線通信システムにおける処理の流れの一例を説明するための図である。本例における受信側ユニット２０，３０，４０は、送信側ユニット１０から受信したパケット情報に含まれる誤り検出データや、順序情報などの付加情報により受信側ユニット自身で、正常に受信できなかったパケット情報や、欠落したパケット情報を認識することができる。
【００４３】
まず、送信側ユニット１０は、パケット情報ａ，ｂ，ｃを無線を介して受信側ユニット２０，３０，４０に送信する（Ｓ１）。ここで、受信側ユニット３０，４０は、パケット情報ａ，ｂ，ｃを正常に受信できたことを自身で確認し、受信側ユニット２０は、パケット情報ａ，ｃを正常に受信し、パケット情報ｂを正常に受信できなかったことを認識した状態として以下に説明する。
受信側ユニット２０は、他の受信側ユニット３０，４０に対して、正常に受信できなかったパケット情報ｂを持っているかの問い合わせ信号を送信する（Ｓ２）。これは無線通信システムの性質上、送信側ユニット及び受信側ユニットは定期的に存在を確かめるための通信を行っている。この通信機能を利用して、送信側ユニットは今何台の受信側ユニットが受信しているのかなどの情報を把握している。そのため受信側ユニットも送信機能を保有している。この送信機能を用いて、正常に受信できなかったパケット情報を持っているかの問い合わせを行うことができる。
【００４４】
上記Ｓ２において問い合わせ信号を受信した受信側ユニット３０又は４０は、自身がそのパケット情報ｂを持っているかを参照してその結果を返答する（Ｓ３）。ここで、複数の受信側ユニットからの返答があった場合は、予め定めた優先順位に基づいて複数の受信側ユニットの中からパケット情報を送信するように要求する受信側ユニットを選択するようにする。この優先順位は、例えば各受信側ユニットに付与された固有番号順に設定してもよく、また、問い合わせ信号送信手段２４ｃ２又は２７ｃ２により送信した問い合わせ信号に対する返答を受信した時刻を記憶し、記憶した時刻の早い順に優先順位を設定してもよい。
【００４５】
また、受信側ユニットは、上記優先順位に基づいて送信要求先として選択した他の受信側ユニットにパケット情報の送信要求を行った結果、選択した他の受信側ユニットからパケット情報を受信できなかった場合、優先順位において次の順番の受信側ユニットを選択して順次送信要求を行うようにしてもよい。
【００４６】
上記Ｓ３において他の受信側ユニット３０又は４０からの返答を受信することで、受信側ユニット２０自身は、正常に受信できなかったパケット情報ｂを他の受信側ユニット３０又は４０が持っていることがわかる。本例では、受信側ユニット４０がパケット情報ｂを持っている。次に、そのパケット情報ｂを送信してもらえるように受信側ユニット４０に要求する（Ｓ４）。次に、パケット情報ｂの送信要求を受け取った受信側ユニット４０は、パケット情報ｂを受信側ユニット２０に送信する（Ｓ５）。パケット情報ｂを受信した受信ユニット２０は、このパケット情報ｂを補完して、元のＡＶデータを正常に再生することができる。
【００４７】
ここで、パケット情報送信要求手段２４ｃ３又は２７ｃ３は、上記Ｓ１における問い合わせ信号送信手段２４ｃ２又は２７ｃ２により送信した問い合わせ信号に対する返答を、予め定めた時間内に受信できなかった場合、問い合わせ信号に応じたパケット情報ｂを再送するように送信側ユニット１０に要求するようにしてもよい。また、上記Ｓ４における受信側ユニット４０への送信要求に応じたパケット情報ｂを、予め定めた時間内に受信できなかった場合、その送信要求に応じたパケット情報ｂを再送するように送信側ユニット１０に要求するようにしてもよい。
【００４８】
本発明によると、他の受信側通信装置からパケット情報を取得できない場合でも、送信側通信装置に再送要求することができるため、正常に受信できなかったパケット情報又は欠落したパケット情報を確実に取得することができる。
【００４９】
図７は、本発明が適用される無線通信方法の一例を説明するためのフロー図である。本例は、誤り検出コードを用いて正常に受信できなかったパケット情報を認識する場合の例について受信側ユニット２０，４０間の通信処理を代表例として説明する。まず、受信側ユニット２０において、送信側ユニット１０からパケット情報を受信し（ステップＳ１１）、受信したパケット情報について、誤り検出データ（例えば、ＣＲＣコード）を用いて正しく受信できているかどうかをチェックする（ステップＳ１２）。誤りチェックを行った結果、正常に受信している場合（ＯＫの場合）、正常に受信したことを認識し（ステップＳ１３）、そのまま正常動作を行う。また、エラーが検出されたパケット情報、すなわち正常に受信できなかったパケット情報がある場合（ＥＲＲＯＲの場合）、エラーが検出されたパケット情報があることを認識し（ステップＳ１４）、エラーが検出されたパケット情報を他の受信側ユニットが受信していないかの確認を行うための確認要求を送信する（ステップＳ１５）。
【００５０】
次に、ステップＳ１５における確認要求に対しての返答待ち状態で、返答を受信したかどうか判断し（ステップＳ１６）、予め定めた時間内に返答を受信しなかった場合（ＮＯの場合）、返答不受信と認識し（ステップＳ２２）、他の受信側ユニットも受信できなかったものとして送信側ユニット１０に再送を要求するなどの別処理を行う。また、他の受信側ユニット（本例では、受信側ユニット４０）から、そのパケット情報を受信しているとの返答があった場合（ＹＥＳの場合）、返答受信と認識し（ステップＳ１７）、受信側ユニット４０にパケット情報を送信してくれるように要求を行う（ステップＳ１８）。
【００５１】
次に、ステップＳ１８における送信要求に対するパケット情報の受信待ち状態で、受信側ユニット４０からパケット情報を受信したかどうか判断し（ステップＳ１９）、パケット情報を受信した場合（ＹＥＳの場合）、受信側ユニット４０からパケット情報を受信したことを認識し（ステップＳ２０）、正常動作に移る。また、パケット情報を受信できなかった場合（ＮＯの場合）、受信側ユニット４０からパケット情報を不受信として認識し（ステップＳ２１）、送信側ユニット１０に再送を要求するなどの別処理を行う。
【００５２】
また、受信側ユニット４０における処理について、受信側ユニット４０は、送信側ユニット１０からパケット情報を受信し（ステップＳ３１）、受信側ユニット２０から確認要求を受信すると（ステップＳ３２）、自身が確認要求に応じたパケット情報を保有しているかどうか判断し（ステップＳ３３）、そのパケット情報を保有している場合（ＹＥＳの場合）、保有していることを伝えるための返答を受信側ユニット２０に対して行う（ステップＳ３４）。ステップＳ３３においてそのパケット情報を保有していない場合（ＮＯの場合）、通常動作を行う。次に、ステップＳ３４において送信した返答に対する送信要求を一定時間待った状態で、受信側ユニット２０からの送信要求を受信したかどうか判断し（ステップＳ３５）、送信要求を受信しなかった場合（ＮＯの場合）、通常動作を行う。ステップＳ３５において送信要求を受信した場合（ＹＥＳの場合）、該当するパケット情報を受信側ユニット２０に送信し（ステップＳ３６）、通常動作を行う。
【００５３】
図８は、本発明が適用される無線通信方法の他の例を説明するためのフロー図である。本例は、欠落して受信できなかったパケット情報を順序情報を用いて特定する場合の例について受信側ユニット２０，４０間の通信処理を代表例として説明する。まず、受信側ユニット２０において、送信側ユニット１０からパケット情報を受信し（ステップＳ４１）、受信したパケット情報について、順序情報により認識された復元順序に基づいて全てのパケット情報を受信できているかどうかをチェックする（ステップＳ４２）。その結果、全てのパケット情報を受信している場合（ＯＫの場合）、正常に受信したことを認識し（ステップＳ４３）、そのまま正常動作を行う。また、ロストしたパケット情報、すなわち欠落して受信できなかったパケット情報がある場合（欠落有りの場合）、ロストしたパケット情報があることを認識し（ステップＳ４４）、そのロストしたパケット情報を他の受信側ユニットが受信していないかの確認を行うための確認要求を送信する（ステップＳ４５）。
【００５４】
次に、ステップＳ４５における確認要求に対しての返答待ち状態で、返答を受信したかどうか判断し（ステップＳ４６）、予め定めた時間内に返答を受信しなかった場合（ＮＯの場合）、返答不受信と認識し（ステップＳ５２）、他の受信側ユニットも受信できなかったものとして送信側ユニット１０に再送を要求するなどの別処理を行う。また、他の受信側ユニット（本例では、受信側ユニット４０）から、そのパケット情報を受信しているとの返答があった場合（ＹＥＳの場合）、返答受信と認識し（ステップＳ４７）、受信側ユニット４０にパケット情報を送信してくれるように要求を行う（ステップＳ４８）。
【００５５】
次に、ステップＳ４８における送信要求に対するパケット情報の受信待ち状態で、受信側ユニット４０から、ロストしたパケット情報を受信したかどうか判断し（ステップＳ４９）、ロストしたパケット情報を受信した場合（ＹＥＳの場合）、受信側ユニット４０から、ロストしたパケット情報を受信したことを認識し（ステップＳ５０）、正常動作に移る。また、パケット情報を受信できなかった場合（ＮＯの場合）、受信側ユニット４０からパケット情報を不受信として認識し（ステップＳ５１）、送信側ユニット１０に再送を要求するなどの別処理を行う。
【００５６】
また、受信側ユニット４０における処理について、受信側ユニット４０は、送信側ユニット１０からパケット情報を受信し（ステップＳ６１）、受信側ユニット２０から確認要求を受信すると（ステップＳ６２）、確認要求に応じたパケット情報を保有しているかどうか判断し（ステップＳ６３）、そのパケットを保有している場合（ＹＥＳの場合）、保有していることを伝えるための返答を受信側ユニット２０に対して行う（ステップＳ６４）。ステップＳ６３においてそのパケット情報を保有していない場合（ＮＯの場合）、通常動作を行う。次に、ステップＳ６４において送信した返答に対する送信要求を一定時間待った状態で、受信側ユニット２０からの送信要求を受信したかどうか判断し（ステップＳ６５）、送信要求を受信しなかった場合（ＮＯの場合）、通常動作を行う。ステップＳ６５において送信要求を受信した場合（ＹＥＳの場合）、該当するパケット情報を受信側ユニット２０に送信し（ステップＳ６６）、通常動作を行う。
【００５７】
図９は、本発明の順序情報を用いた無線通信方法における欠落したパケット情報の受信処理の一例を説明するためのフロー図である。本例において、受信側ユニット２０を代表例として説明する。まず、受信側ユニット２０は、送信側ユニット１０からパケット情報を受信し（ステップＳ７１）、新規のパケット情報を予め定めた時間内に受信したかどうか判断し（ステップＳ７２）、新規のパケット情報を受信した場合（ＹＥＳの場合）、ステップＳ７１から処理を繰り返す。ステップＳ７２において新規のパケット情報を受信しなかった場合（ＮＯの場合）、送信側ユニット１０の送信処理が終了したと判断し（ステップＳ７３）、受信したパケット情報の中に識別情報が付加されたパケット情報が含まれているかどうか判断し（ステップＳ７４）、識別情報が付加されたパケット情報が含まれている場合（ＹＥＳの場合）、順序情報により認識された復元順序に基づいて全てのパケット情報を受信できたかどうかチェックし（ステップＳ７９）、全てのパケット情報を受信できた場合（ＯＫの場合）、そのまま終了する。
【００５８】
受信側ユニット２０は、上記ステップＳ７９において、パケット情報が欠落している場合（欠落有りの場合）、ロストしたパケット情報があることを認識し（ステップＳ８０）、ロストしたパケット情報を他の受信側ユニットが受信したかどうかの確認要求を行う（ステップＳ８１）。次に、その確認要求に応じた返答を他の受信側ユニットから受信し、その返答に対する送信要求に基づいて、ロストしたパケット情報を受信できたかどうか判断し（ステップＳ８２）、ロストしたパケット情報を受信した場合（ＹＥＳの場合）、当該パケット情報の受信を認識し（ステップＳ８３）、終了する。
【００５９】
また、受信側ユニット２０は、上記ステップＳ７４において、識別情報が付加されたパケット情報が含まれていない場合（ＮＯの場合）、識別情報が付加されたパケット情報（以下、最後のパケット情報という）が欠落して受信できなかったと判断し（ステップＳ７５）、ロストした最後のパケット情報を他の受信側ユニットが受信しているかどうかの確認要求を行い（ステップＳ７６）、その確認要求に応じた返答を他の受信側ユニットから受信し、その返答に対する送信要求に基づいて、ロストした最後のパケット情報を受信したかどうか判断し（ステップＳ７７）、最後のパケット情報を受信した場合（ＹＥＳの場合）、ステップＳ７４に戻る。最後のパケット情報を受信できなかった場合（ＮＯの場合）、当該パケット情報の不受信を認識し（ステップＳ７８）、送信側ユニット１０に再送を要求するなどの別処理を行う。
【００６０】
【発明の効果】
本発明によると、送信側通信装置と無線を介して接続された複数の受信側通信装置を有する無線通信システムにおいて、送信側通信装置から正常に受信できなかったパケット情報を認識し、認識したパケット情報を送信するように他の受信側通信装置に要求することにより、該他の受信側通信装置から当該パケット情報を受信することができるため、送信側に再送要求する必要がなくなり、送信側における伝送処理の負荷を軽減することができるとともに、確実かつ迅速にパケット情報を受信することができる。
【図面の簡単な説明】
【図１】本発明の一実施形態に係る無線通信システムの構成例を説明するための図である。
【図２】本発明に係るパケット情報の構成例を説明するための図である。
【図３】本発明に係る送信側通信装置の内部構成例を説明するためのブロック図である。
【図４】本発明に係る受信側通信装置の内部構成例を説明するためのブロック図である。
【図５】本発明に係る他の受信側通信装置の内部構成例を説明するためのブロック図である。
【図６】図１に示した無線通信システムにおける処理の流れの一例を説明するための図である。
【図７】本発明が適用される無線通信方法の一例を説明するためのフロー図である。
【図８】本発明が適用される無線通信方法の他の例を説明するためのフロー図である。
【図９】本発明の順序情報を用いた無線通信方法における欠落したパケット情報の受信処理の一例を説明するためのフロー図である。
【符号の説明】
１０…送信側ユニット、１１…ＤＶＤ再生装置、１２，２２，３２，４２…ＡＶケーブル、１３，２６，３６，４６…リモコン受光部、１４…送信側通信装置、１４ａ…入力画像音声処理部、１４ｂ…画像音声メモリ、１４ｃ…通信コントロール部、１４ｄ…ＣＰＵ、１４ｅ…リモコンコード発信部、１４ｆ…ＡＶ入力部、１５，２５，２８，３５，４５…アンテナ、１６…リモコン信号送信機、２０，３０，４０…受信側ユニット、２１，３１，４１…モニタ、２３，３３，４３…リモコン、２４，３４，４４…受信側通信装置、２４ａ，２７ａ…出力画像音声処理部、２４ｂ，２７ｂ…画像音声メモリ、２４ｃ，２７ｃ…通信コントロール部、２４ｃ１…誤り検出手段、２７ｃ１…復元順序認識手段、２４ｃ２，２７ｃ２…問い合わせ信号送信手段、２４ｃ３，２７ｃ３…パケット情報送信要求手段、２４ｄ，２７ｄ…ＣＰＵ、２４ｅ，２７ｅ…リモコン受信部、２４ｆ，２７ｆ…ＡＶ出力部。
【図１】
2004140663.tif 000003
【図２】
2004140663.tif 000004
【図３】
2004140663.tif 000005
【図４】
2004140663.tif 000006
【図５】
2004140663.tif 000007
【図６】
2004140663.tif 000008
【図７】
2004140663.tif 000009
【図８】
2004140663.tif 000010
【図９】
2004140663.tif 000011